(57)【要約】【課題】  本発明は、一度の走行で複数の畝に植生する根菜類の作物を引抜収穫して作業効率を向上させると共に、収穫が進んでも機体の左右バランスを崩すことなく、引抜ミスが生じないようにした根菜類収穫機を提供することを課題とする。【解決手段】  複数条に植生する作物の茎葉を挟持して後方へ送り揚げながら引き抜く引抜搬送装置３を設け、該引抜搬送装置３の上部を跨った操縦支持フレーム１２に作業者が搭乗して操縦操作する操縦台１３を設けた根菜類収穫機とする。【選択図】図２
2019170341.tif 000002
【特許請求の範囲】
【請求項１】
複数条に植生する作物の茎葉を挟持して後方へ送り揚げながら引き抜く引抜搬送装置（３）を設け、該引抜搬送装置（３）の上部を跨った操縦支持フレーム（１２）に作業者が搭乗して操縦操作する操縦台（１３）を設けた根菜類収穫機。
【請求項２】
前記引抜搬送装置（３）の終端下部に作物を横送りする横送りコンベア（６）を設け、該横送りコンベア（６）の終端から作物を作物受台（１１）上に送り揚げる揚上コンベア（８）を前記引抜搬送装置（３）の側部に設けたことを特徴とする請求項１に記載の根菜類収穫機。
【請求項３】
前記操縦台（１３）を前記操縦支持フレーム（１２）に左右移動調整可能に設けたことを特徴とする請求項１に記載の根菜類収穫機。
【請求項４】
横送りコンベア（６）を左側に送る左横送りコンベア（６Ｌ）と右側に送る右横送りコンベア（６Ｒ）で構成し、前記左横送りコンベア（６Ｌ）および前記右横送りコンベア（６Ｒ）から作物を引き継ぐ左右左揚上コンベア（８Ｌ，８Ｒ）を設け、前記左右左揚上コンベア（８Ｌ，８Ｒ）の終端部に左右作物受台（１１）を設けたことを特徴とする請求項２に記載の根菜類収穫機。
【請求項５】
前記引抜搬送装置（３）の終端部に作物の茎葉を切断する茎葉切断装置（５）を設け、前記茎葉切断装置（５）から切断茎葉を受けて機体の左右側方へ排出する茎葉搬送コンベア（７）を設けたことを特徴とする請求項１から請求項４のいずれか１項に記載の根菜類収穫機。
【請求項６】
前記茎葉搬送コンベア（７）を左右送り方向を変更可能にするとともに、前記茎葉搬送コンベア（７）の左右終端に設ける左右排葉シュータ（７Ｌ，７Ｒ）の起伏で前記茎葉搬送コンベア（７）の送り方向を制御したことを特徴とする請求項５に記載の根菜類収穫機。
【発明の詳細な説明】
【技術分野】
【０００１】
本発明は、大根や人参等の根菜類作物を圃場から引き抜き、根部に付着した土を落として収穫する根菜類収穫機に関するものである。
【背景技術】
【０００２】
根菜類収穫機として、特許文献１には、機体の左側に圃場から作物を引き抜き後方へ搬送する後上がり傾斜姿勢の引抜搬送装置を設け、該引抜搬送装置の搬送終端部下方に、収穫作物を機体右側に向けて汲上搬送する汲上搬送コンベアを設け、この汲上搬送コンベアの終端下部に収穫した根菜類の収容容器を載置する収容容器積載台を設けた根菜類収穫機が記載されている。
【０００３】
また、特許文献２には、農作物を圃場から収穫する収穫部を機体の左側で前側から後側に向けて設け、搭乗した操縦者が機体の操縦を行なう操縦部と前記収穫部で収穫した農作物を収容する収容袋を設置する回収部とを機体の右側に設け、前記収穫部で収穫した農作物を受けて右側の回収部に搬送する横搬送部を機体の左側から右側に向けて設けた農作物収穫機が記載されている。
【先行技術文献】
【特許文献】
【０００４】
【特許文献１】特許第５４０７４８４号公報
【特許文献２】特許第４９０５５８０号公報
【発明の概要】
【発明が解決しようとする課題】
【０００５】
前記従来の根菜類収穫機は、いずれも畝一条分に植生する根菜類の作物を引き抜いて収穫するもので、機体の幅が広い割に一走行で収穫出来る収穫量が少なく、作業効率が悪い。また、機体の左側で収穫した根菜類が機体右側の回収台に積まれていくので、収穫が進むと機体の右側が重くなって左右バランスが悪くなり、畝に沿って機体を直進することが難しく、作物の引抜ミスが生じて圃場に未収穫作物が残り、収穫走行後に人手で未収穫作物を集めるような面倒なことになることがある。
【０００６】
本発明は、一度の走行で複数の畝に植生する根菜類の作物を引抜収穫して作業効率を向上させると共に、収穫が進んでも機体の左右バランスを崩すことなく、引抜ミスが生じないようにした根菜類収穫機を提供することを課題とする。
【課題を解決するための手段】
【０００７】
上記本発明の課題は、次の技術手段により解決される。
【０００８】
請求項１の発明は、複数条に植生する作物の茎葉を挟持して後方へ送り揚げながら引き抜く引抜搬送装置（３）を設け、該引抜搬送装置（３）の上部を跨った操縦支持フレーム（１２）に作業者が搭乗して操縦操作する操縦台（１３）を設けた根菜類収穫機とする。
【０００９】
請求項２の発明は、引抜搬送装置（３）の終端下部に作物を横送りする横送りコンベア（６）を設け、該横送りコンベア（６）の終端から作物を作物受台（１１）上に送り揚げる揚上コンベア（８）を引抜搬送装置（３）の側部に設けたことを特徴とする請求項１に記載の根菜類収穫機とする。
【００１０】
請求項３の発明は、操縦台（１３）を操縦支持フレーム（１２）に左右移動調整可能に設けたことを特徴とする請求項１に記載の根菜類収穫機とする。
【００１１】
請求項４の発明は、横送りコンベア（６）を左側に送る左横送りコンベア（６Ｌ）と右側に送る右横送りコンベア（６Ｒ）で構成し、左横送りコンベア（６Ｌ）および右横送りコンベア（６Ｒ）から作物を引き継ぐ左右左揚上コンベア（８Ｌ，８Ｒ）を設け、左右左揚上コンベア（８Ｌ，８Ｒ）の終端部に左右作物受台１１を設けたことを特徴とする請求項２に記載の根菜類収穫機とする。
【００１２】
請求項５の発明は、引抜搬送装置（３）の終端部に作物の茎葉を切断する茎葉切断装置（５）を設け、茎葉切断装置（５）から切断茎葉を受けて機体の左右側方へ排出する茎葉搬送コンベア７を設けたことを特徴とする請求項１から請求項４のいずれか１項に記載の根菜類収穫機とする。
【００１３】
請求項６の発明は、茎葉搬送コンベア（７）を左右送り方向を変更可能にするとともに、茎葉搬送コンベア（７）の左右終端に設ける左右排葉シュータ（７Ｌ，７Ｒ）の起伏で茎葉搬送コンベア（７）の送り方向を制御したことを特徴とする請求項５に記載の根菜類収穫機とする。
【発明の効果】
【００１４】
請求項１の発明で、引抜搬送装置（６）が複数条に植生する作物を同時に引抜収穫するので、収穫効率が良く、操縦台（１３）を引抜搬送装置（６）の上部に設けているので、機体の左右幅が広くなることもない。
【００１５】
請求項２の発明で、請求項１の効果に加えて、引抜搬送装置（６）で引き抜かれ終端部に送られた作物は横送りコンベア（６）から引抜搬送装置（３）の側部に設けた揚上コンベア（８）に引き継がれて作物受台（１１）上に送られるので、機体の前後長を長くすることなく、小回りの可能な根菜類収穫機となる。
【００１６】
請求項３の発明で、請求項１の効果に加えて、操縦台（１３）を引抜搬送装置（６）の前端が見易い位置に移動調整出来て抜き残しの無い収穫作業が可能になる。
【００１７】
請求項４の発明で、請求項２の効果に加えて、引抜搬送装置（３）で収穫する作物は左右横送りコンベア（６Ｌ，６Ｒ）と左右揚上コンベア（８Ｌ，８Ｒ）で左右作物受台（１１）に分配されて溜められるので、収穫物が増えても機体の左右重量バランスが良く、機体の操縦が不安定になることなく、抜き残しのない収穫作業を継続出来る。
【００１８】
請求項５の発明で、請求項１から請求項４のいずれか１項の効果に加えて、引抜搬送装置（３）で搬送中の作物の茎葉が茎葉切断装置（５）で切断されて茎葉搬送コンベア（７）に送られ機体の左右側方の既収穫側の圃場に排出されるので、未収穫の作物に降り掛かることなく、収穫の障害になることが無い。
【００１９】
請求項６の発明で、請求項５の効果に加えて、茎葉搬送コンベア（７）の左右終端に設ける左右排葉シュータ（７Ｌ，７Ｒ）で茎葉の排出側を変更出来るので、作業状況に応じて作業者が容易に切断茎葉の排出側を変更出来て作業効率が良い。
【図面の簡単な説明】
【００２０】
【図１】根菜類収穫機の左側面図である。
【図２】根菜類収穫機の平面図である。
【図３】根菜類収穫機の背面図である。
【図４】補助作業者を省いた根菜類収穫機の左側面図である。
【図５】制御のブロック図である。
【図６】制御のフローチャート図である。
【発明を実施するための形態】
【００２１】
以下、本発明の実施形態を図面に示す実施例を参照しながら説明する。なお、実施例の説明においては、機体の前進方向に向かって左右方向をそれぞれ左、右といい、前進方向を前、後進方向を後というが、本発明の構成を限定するものでは無い。
【００２２】
クローラ走行装置１で走行する車台２に機体の前端から機体後部にかけて引抜搬送装置３を後上り傾斜姿勢で装着している。
【００２３】
引抜搬送装置３は、作物の茎葉を挟持して後方へ送り揚げるように左右で一対にする搬送ベルト３ａを四対横に並べた構成で、各対の搬送ベルト３ａで一条の作物を引き抜くようにするので、この構成では四条分の作物を一走行で引き抜けるようになる。
【００２４】
なお、左右二対の搬送ベルト３ａを別々に昇降可能として、操縦支持フレーム１２に設けた二つの操縦台１３に乗った二名の作業者がそれぞれ左右二対の搬送ベルト３ａの高さを調整しながら収穫作業を行えるようにすることも出来る。また、対の搬送ベルト３ａは単独で昇降して作物に合わせるようにするとさらに良い。
【００２５】
なお操縦台１３の下部には、レールと移動輪などによる、左右摺動機構１３ａを設けるものとする。
【００２６】
引抜搬送装置３の前端上には、作物の茎葉を掻き分ける分草杆３ｂと倒れた茎葉を引き起こす茎葉引き起こし装置３ｃを設け、前端下には、作物の根部周囲の土を解すソイラ４を設けている。茎葉引き起こし装置３ｃはチェーン駆動のゴムラグで幅を狭くしている。
【００２７】
引抜搬送装置３の駆動部１８は機体の最高い位置に設けて駆動軸をパイプ内に収めているので、作物の茎葉が絡まないようになる。
【００２８】
引抜搬送装置３の終端下部には、茎葉切断装置５を設け、引抜搬送装置３から茎葉の挟持を引き継ぐ茎葉送りベルト５ｂで後水平に送りながら回転刃５ａで根部のすぐ上を切って根部を落とす。
【００２９】
切り落とされた根部は左右方向に横送りされる横送りコンベア６上に落下し、茎葉は茎葉送りベルト５ｂの終端から左右方向に横張りされる茎葉搬送コンベア７上に落下する。
【００３０】
横送りコンベア６は、右側に送り作用する右横送りコンベア６Ｒと左側に送り作用する左横送りコンベア６Ｌで構成し、茎葉搬送コンベア７は正逆転モータ７Ｍで左右の送り方向を変更可能で、その左右端に右排葉シュータ７Ｒと左排葉シュータ７Ｌを上下回動可能に設けている。なお、右排葉シュータ７Ｒと左排葉シュータ７Ｌは上下に回動し、下方傾斜で茎葉を圃場へ落とし上方回動で茎葉の落下を阻止するもので、左開閉センサ７ＬＳと右開閉センサ７ＲＳが下方回動を開とし上方回動を閉とする信号を出力する。
【００３１】
図５は、正逆転モータ７Ｍの制御ブロック図で、右排葉シュータ７Ｒと左排葉シュータ７Ｌに下方傾斜（開）を検出する右開閉センサ７ＬＳと左開閉センサ７ＬＳを設け、正逆転モータ７Ｍに制御信号を送るようにしている。
【００３２】
図６は、その制御フローチャート図である。
【００３３】
ステップＳ１で左開閉センサ７ＬＳと右開閉センサ７ＲＳの開閉信号を検出し、ステップＳ２で右開閉センサ７ＲＳが開すなわち右排葉シュータ７Ｒが下方傾斜していることを検出すると、ステップＳ４で正逆転モータ７Ｍを正転してステップＳ５で茎葉搬送コンベア７を右方向に搬送し、再びステップＳ７で左開閉センサ７ＬＳと右開閉センサ７ＲＳの開閉を検出し、右開閉センサ７ＲＳが開であればステップＳ８で正逆転モータ７Ｍの駆動を継続し、ステップＳ７で閉であればステップＳ９で正逆転モータ７Ｍを停止してステップＳ１０で茎葉搬送コンベア７を停止する。
【００３４】
また、ステップＳ２で左開閉センサ７ＬＳが開すなわち左排葉シュータ７Ｌが下方傾斜していることを検出すると、ステップＳ１１で正逆転モータ７Ｍを逆転してステップＳ１２で茎葉搬送コンベア７を左方向に搬送し、再びステップＳ１３で左開閉センサ７ＬＳと右開閉センサ７ＲＳの開閉を検出し、ステップＳ１４で左開閉センサ７ＬＳが開であればステップＳ１５で正逆転モータ７Ｍの駆動を継続し、閉であればステップＳ１６で正逆転モータ７Ｍを停止してステップＳ１７で茎葉搬送コンベア７を停止する。
【００３５】
すなわち、左排葉シュータ７Ｌと右排葉シュータ７Ｒは、下方傾斜にすると茎葉搬送コンベア７がその方向に茎葉を送り作用して排出し、起立すると茎葉搬送コンベア７の送りが停止して茎葉の送り出しをしなくする。
【００３６】
なお、左排葉シュータ７Ｌと右排葉シュータ７Ｒを共に閉にすると正逆転モータ７Ｍを停止するが、共に開にすると先に開であった方或いは後で開にした方へ搬送するようにする。
【００３７】
右横送りコンベア６Ｒの終端右側には右揚上コンベア８Ｒを設け、左横送りコンベア６Ｌの終端左側には左揚上コンベア８Ｌを設け、それぞれの上端にフレコンバッグ９を吊り下げるようにしている。
【００３８】
右揚上コンベア８Ｒと左揚上コンベア８Ｌは、根部を係止して送る搬送突起を設けたコンベアで、昇降シリンダ１０で上り傾斜角を変更可能で、フレコンバッグ９に作物が溜まるに従って終端側を上昇させて、フレコンバッグ９内に落下する作物の衝撃を少なくしている。
【００３９】
右揚上コンベア８Ｒと左揚上コンベア８Ｌの終端下部にフレコンバッグ９の底部を受ける作物受台１１を車台２に対して前傾斜に切り替え可能に設け、満杯になったフレコンバッグ９を引きずり降ろし易くしている。また、この作物受台１１の前端部に補助作業者が立ち乗りしてフレコンバッグ９に入る作物の選別作業を可能にしている。作物受台１１の後部には補助作業者の背中位置において前方と側方に回動固定する安全ガード２０を設けて、補助作業者が振り落とされないようにしている。安全ガード２０はフレコンバッグ９を降ろす際に前に回動して邪魔にならないようにする。補助作業者は操縦台１３の作業者の近くになるために連携しながら作業を進め易い。
【００４０】
前記引抜搬送装置３の前部で、この引抜搬送装置３を左右に跨いだ操縦支持フレーム１２を設け、この操縦支持フレーム１２に操縦台１３を左右位置変更可能に設け、その前に操縦装置を設ける操縦部１４を設け、下部にステップ１５を設けて、作業者が搭乗して引抜搬送装置３の前端を作物に合わせながら操縦できるようにしている。操縦台１３の左右位置は調整可能であるので、作業者が見やすい位置に固定することが出来る。ステップ１５と引抜搬送装置３の間隔は作物の茎葉が当たらないように広くするが、当たっても滑り易いようにテフロン（登録商標）塗装などを行う。
【００４１】
なお、図４は、補助作業者の記載を省略した左側面図であるが、作物受台１１は右側或いは左側の片側のみにすることも出来る。その際は、横送りコンベア６が片側に送り作用するものであり、片側の揚上コンベア８を省略できる。
【符号の説明】
【００４２】
３  引抜搬送装置
５  茎葉切断装置
６  横送りコンベア
６Ｌ  左横送りコンベア
６Ｒ  右横送りコンベア
７  茎葉搬送コンベア
７Ｌ  左排葉シュータ
７Ｒ  右排葉シュータ
８  揚上コンベア
８Ｌ  左揚上コンベア
８Ｒ  右揚上コンベア
１１  作物受台
１２  操縦支持フレーム
１３  操縦台
【図１】
2019170341.tif 000003
【図２】
2019170341.tif 000004
【図３】
2019170341.tif 000005
【図４】
2019170341.tif 000006
【図５】
2019170341.tif 000007
【図６】
2019170341.tif 000008